【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
自らの第一絶対位置情報を取得する第一絶対位置取得手段と、外部の第二絶対位置取得手段が取得した第二絶対位置情報を受信する無線通信手段と、所定の縮尺の地図情報を提供可能な地図情報提供手段と、前記地図情報出力手段が提供する地図情報に基づく地図上で第一絶対位置情報に基づく位置と第二絶対位置情報に基づく位置を互いに識別可能に表示する地図表示手段と、第一絶対位置情報と第二絶対位置情報に基づいて第一絶対位置情報に基づく位置と第二絶対位置情報に基づく位置が前記地図表示手段の表示範囲内の地図に入るよう前記地図情報提供手段を制御する制御手段とを有することを特徴とする位置表示装置。
【請求項２】
前記制御手段は、第一絶対位置情報と第二絶対位置情報に基づいて前記地図情報提供手段が提供する地図情報の縮尺を決定する縮尺決定手段を有することを特徴とする請求項１記載の位置表示装置。
【請求項３】
前記縮尺決定手段は、第一絶対位置情報に基づく位置と第二絶対位置情報に基づく位置が前記地図表示手段の表示範囲内の地図に入るかどうかを判定する第一判定手段と、第一絶対位置情報に基づく位置と第二絶対位置情報に基づく位置が前記地図表示手段の表示範囲内の地図に入らないことを前記判定手段が判定したとき地図情報の縮尺を広域側に自動変更する第一縮尺変更手段とを有することを特徴とする請求項２記載の位置表示装置。
【請求項４】
前記制御手段は、第一絶対位置情報と第二絶対位置情報に基づいて前記地図表示手段が表示する地図を自動的にスクロールする自動スクロール手段とを有することを特徴とする請求項１から３のいずれかに記載の位置表示装置。
【請求項５】
前記制御手段は、地図表示手段が表示する地図をスクロールするスクロール手段を有し、前記縮尺決定手段は、前記スクロール手段によるスクロール可能性を加味して第一絶対位置情報と第二絶対位置情報に基づいて前記地図情報提供手段が提供する地図情報の縮尺を決定することを特徴とする請求項２または３記載の位置表示装置。
【請求項６】
自らの進行方向を検出する進行方向検出手段を有し、前記制御手段は第二絶対位置情報に基づく位置の進行方向に係わらず前記進行方向検出手段に基づいて第一絶対位置情報に基づく位置の進行方向が上になるよう地図の方向を決定する地図表示方向決定手段を有することを特徴とする請求項１から５のいずれかに記載の位置表示装置。
【請求項７】
前記制御手段は、前記地図表示手段による第二絶対位置情報の表示が可能なよう第二情報位置情報を変換する情報変換手段を含むことを特徴とする請求項１から６のいずれかに記載の位置表示装置。
【請求項８】
前記無線通信手段が第二絶対位置情報を受信する状態にあることを表示する表示手段を有することを特徴とする請求項１から７のいずれかに記載の位置表示装置。
【請求項９】
前記地図表示手段による第二絶対位置情報に基づく位置の表示の有無を設定する設定手段と、前記設定手段による設定を可能にするか否かを自動的に管理する設定管理手段とを有することを特徴とする請求項１から８のいずれかに記載の位置表示装置。
【請求項１０】
第二絶対位置の表示が外部から求められたことを自動的に報知する報知手段を有することを特徴とする請求項１から９のいずれかに記載の位置表示装置。
【手続補正２】
【補正対象書類名】明細書
【補正対象項目名】０００５
【補正方法】変更
【補正の内容】
【０００５】
上記の課題を解決するため、自らの第一絶対位置情報を取得する第一絶対位置取得手段と、外部の第二絶対位置取得手段が取得した第二絶対位置情報を受信する無線通信手段と、所定の縮尺の地図情報を提供可能な地図情報提供手段と、地図情報出力手段が提供する地図情報に基づく地図上で第一絶対位置情報に基づく位置と第二絶対位置情報に基づく位置を互いに識別可能に表示する地図表示手段と、第一絶対位置情報と第二絶対位置情報に基づいて第一絶対位置情報に基づく位置と第二絶対位置情報に基づく位置が地図表示手段の表示範囲内の地図に入るよう地図情報提供手段を制御する制御手段とを有する位置表示装置を提供する。  自分の位置だけを地図上に表示する場合は、目的に応じて地図の縮尺を任意に選択して地図を広域化したり拡大したりすることが可能であったが、複数の位置を表示する場合は、特に地図を拡大した場合いずれかの位置が地図からはずれる恐れがある。上記の本発明の構成は、第一絶対位置情報と第二絶対位置情報に基づいて地図情報の縮尺が決定するという具体的な対策を提供することによって、このような不都合を避けることができる。
【手続補正３】
【補正対象書類名】明細書
【補正対象項目名】０００７
【補正方法】変更
【補正の内容】
【０００７】
本発明の他の特徴によれば、制御手段は、第一絶対位置情報と第二絶対位置情報に基づいて前記地図情報提供手段が提供する地図情報の縮尺を決定する縮尺決定手段を有する。  また、本発明の他の特徴に寄れば、縮尺決定手段は、第一絶対位置情報に基づく位置と第二絶対位置情報に基づく位置が地図表示手段の表示範囲内の地図に入るかどうかを判定する第一判定手段と、第一絶対位置情報に基づく位置と第二絶対位置情報に基づく位置が地図表示手段の表示範囲内の地図に入らないことを判定手段が判定したとき地図情報の縮尺を広域側に自動変更する。

【手続補正４】
【補正対象書類名】明細書
【補正対象項目名】０００８
【補正方法】変更
【補正の内容】
【０００８】
本発明の他の特徴によれば、制御手段は、第一絶対位置情報と第二絶対位置情報に基づいて前記地図表示手段が表示する地図を自動的にスクロールする自動スクロール手段を有し、縮尺決定手段は、スクロール手段によるスクロール可能性を加味して第一絶対位置情報と第二絶対位置情報に基づいて地図情報提供手段が提供する地図情報の縮尺を決定する。  地図の縮尺が可能であれば、縮尺を広域側に変更しなくてもスクロールにより複数位置が地図の表示画面から外れないようにすることができる。したがって、この特徴によれば第一絶対位置情報と第二絶対位置情報だけでなく、スクロール可能性も加味して地図情報の縮尺を決定する。
【手続補正５】
【補正対象書類名】明細書
【補正対象項目名】０００９
【補正方法】変更
【補正の内容】
【０００９】
本発明の他の特徴によれば、自らの進行方向を検出する進行方向検出手段を有し、制御手段は第二絶対位置情報に基づく位置の進行方向に係わらず進行方向検出手段に基づいて第一絶対位置情報に基づく位置の進行方向が上になるよう地図の方向を決定する。これによって、複数の位置を表示するにも係わらず、混乱無く自らの行動に調和した表示を行うことができる。  なお上記の特徴の実施に当たっては、上記の表示の態様に加え、自らの進行方向に変化があっても常に例えば北を上方に固定して複数の位置を表示する態様も用意しておき、上記の表示とこのような固定表示とを選択可能とすることも可能である。
【手続補正６】
【補正対象書類名】明細書
【補正対象項目名】００１０
【補正方法】変更
【補正の内容】
【００１０】
本発明の他の特徴によれば、制御手段は、地図表示手段による第二絶対位置情報の表示が可能なよう第二情報位置情報を変換する。
【手続補正７】
【補正対象書類名】明細書
【補正対象項目名】００１１
【補正方法】変更
【補正の内容】
【００１１】
これによって絶対位置情報による位置情報の表現が異なる相手からの第二絶対位置情報を第一絶対位置情報と同様に表示のために取り扱うことができる。
【手続補正８】
【補正対象書類名】明細書
【補正対象項目名】００１２
【補正方法】変更
【補正の内容】
【００１２】
本発明の他の特徴によれば、無線通信手段が第二絶対位置情報を受信する状態にあることを表示する表示手段を有する位置表示装置を提供する。これによって、例えば、無線通信の環境の変化によって一時的に第二絶対位置情報が得られずこれを地図上では表示できなくなった場合でも、第二絶対位置情報を受信する状態が設定されているという事実だけを明らかにすることができる。また例えば、逐一地図上で第二絶対位置を確認する必要が無いときは煩雑さを避けるため地図上での表示を省略し、第二絶対位置情報を受信する状態であることだけを表示することができる。
【手続補正９】
【補正対象書類名】明細書
【補正対象項目名】００１３
【補正方法】変更
【補正の内容】
【００１３】
本発明の他の特徴によれば、第二絶対位置の表示が外部から求められたことを自動的に報知する報知手段を有する。これによって例えば設定用のメニューを自動的に出すようにし、外部から第二絶対位置情報に基づく位置の表示に関する設定が求められたとき、速やかにこれに応じることを可能とする。